(57)【要約】      （修正有）【課題】路面のμ（言い換えると、アスファルト路面、コンクリート路面、ブロック路面、砂利路面）の検出を乾いた路面に限定して検出することで、路面種別の判定精度を向上させた車両制御装置および車両制御方法を提供する。【解決手段】路面種別判定部５０は、乾いた路面の反射率データを予め備え、当該反射率データに基づいて乾いている状態の路面種別を判定することとした。【選択図】図１
2018162816.tif 000002
【特許請求の範囲】
【請求項１】
光を使った路面の反射率に基づき路面種別を判定する路面種別判定部と、該路面種別判定部の判定結果に基づいて、車両の制御を行う車両制御部と、
を備えた車両制御装置において、
前記路面種別判定部は、乾いた路面の反射率データを予め備え、当該反射率データに基づいて路面種別を判定すること、
を特徴とする車両制御装置
【請求項２】
請求項１に記載の車両制御装置において、
前記路面種別判定部は、乾いた路面の反射率データは、アスファルト路面、コンクリート路面、ブロック路面、砂利路面のうち、少なくとも１つの乾いた路面の反射率データを有する、
ことを特徴とする車両制御装置。
【請求項３】
請求項１または２に記載の車両制御装置において、
前記車両制御部は、前記路面種別判定部の判定結果に応じて、自動変速機の油圧を制御する、
ことを特徴とする車両制御装置。
【請求項４】
請求項１または２に記載の車両制御装置において、
前記車両制御部は、前記路面種別判定部の判定結果に応じて、自動変速機の変速比を制御する、
ことを特徴とする車両制御装置。
【請求項５】
請求項１に記載の車両制御装置において、
前記路面種別判定部が、予め備えた乾いた路面の反射率データと一致しないと判定したときには、前記車両制御部は、前記路面種別判定部の判定結果に基づいた車両の制御を禁止する、
ことを特徴とする車両制御装置。
【請求項６】
請求項１に記載の車両制御装置において、
路面が濡れているか否かを判定する路面状況判定部を備え、
前記路面状況判定部が、路面が濡れていると判定したときには、前記車両制御部は、前記路面種別判定部の判定結果に基づいた車両の制御を禁止する、
ことを特徴とする車両制御装置。
【請求項７】
請求項６に記載の車両制御装置において、
前記路面状況判定部は、ワイパーが作動しているときには、路面が濡れていると判定する、
ことを特徴とする車両制御装置。
【請求項８】
請求項６に記載の車両制御装置において、
前記路面状況判定部は、現在走行している場所の雨量情報を外部より入手する、
ことを特徴とする車両制御装置。
【請求項９】
請求項６に記載の車両制御装置において、
前記路面状況判定部は、フロントガラスに設置された振動センサーの検出結果に基づき、路面が濡れているか否かを判定する、
ことを特徴とする車両制御装置。
【請求項１０】
光を使った路面の反射率に基づき路面種別を判定する路面種別判定部と、車両の制御を行う車両制御部とを備え、
路面種別に基づいて、車両の制御を行う車両制御方法であって、
光を使った路面の反射率に基づき路面種別を判定するステップと、
路面種別に基づいて車両の制御を行うステップと、
を含むことを特徴とする車両制御方法。
【発明の詳細な説明】
【技術分野】
【０００１】
本発明は、車両制御装置および車両制御方法に関する。
【背景技術】
【０００２】
特許文献１は、自車の走行する道路の路面状況、例えば、低μ路を光学的な画像認識手段で検出して、μ（言い換えると、アスファルト道路、コンクリート道路、未舗装道路等）に応じて、油圧をコントロールすることで、適切な油圧でコントロールできることから、燃費の向上を図ったり、変速段（含む変速比）をコントロールすることで、走行性能の向上を図ったりすることを開示している。
【先行技術文献】
【特許文献】
【０００３】
【特許文献１】特開平０３−２０４４６５号公報
【発明の概要】
【発明が解決しようとする課題】
【０００４】
しかしながら、反射率を使って路面のμ（言い換えると、アスファルト路面、コンクリート路面、ブロック路面、砂利路面）を検出する場合、雨や水たまりがあると光が拡散してしまい、路面検出精度が落ち、誤判定につながる恐れがある。
【０００５】
本発明の目的は、このような技術的課題に鑑みてなされたもので、路面のμ（言い換えると、アスファルト路面、コンクリート路面、ブロック路面、砂利路面）の検出を乾いた路面に限定して検出することで、路面種別の判定精度を向上させた車両制御装置および車両制御方法を提供することにある。
【課題を解決するための手段】
【０００６】
車両制御装置および車両制御方法であって、路面種別判定部は、乾いた路面の反射率データを予め備え、当該反射率データに基づいて乾いている状態の路面種別を判定することとした。
【発明の効果】
【０００７】
予め備えた乾いた路面の反射率に基づいて路面種別を判定することで、路面種別の判定精度を向上させることができる。
【図面の簡単な説明】
【０００８】
【図１】本発明に係る車両制御装置の概略構成を示す図である。
【図２】実施例１および２に係る路面種別判定部の処理の内容を示したフローチャートである。
【図３】実施例１に係る路面種別による無段変速機の概略の油圧特性図である。
【図４】実施例１に係る車両制御装置の車両制御時の無段変速機の油圧の変化を示すタイムチャートである。
【図５】実施例２に係る路面種別による所定スロットル開度における無段変速機の概略の変速比特性図である。
【図６】実施例２に係る車両制御装置の車両制御時の無段変速機の変速比の変化を示すタイムチャートである。
【図７】実施例３に係る路面種別判定部の処理の内容を示したフローチャートである。
【図８】実施例３に係る路面種別によるエンジンの概略の出力特性図である。
【図９】実施例３に係る車両制御装置の車両制御時のエンジンの出力の変化を示すタイムチャートである。
【図１０】実施例４に係る路面種別判定部の処理の内容を示したフローチャートである。
【図１１】実施例４に係る路面種別による概略のブレーキ圧の特性図である。
【図１２】実施例４に係る車両制御装置の車両制御時のブレーキ圧の変化を示すタイムチャートである。
【発明を実施するための形態】
【０００９】
図１は、本発明に係る車両制御装置の概略構成を示す図である。
【００１０】
この車両は動力源としてエンジン１を備える。エンジン１の出力回転は、ロックアップクラッチ付きトルクコンバータ２、第１ギヤ列３、バリエータ２０、副変速機３０（以下、バリエータ２０と副変速機３０を合わせて、単に「無段変速機４」という。）、第２ギヤ列５、終減速装置６を介して駆動輪７へと伝達される。第２ギヤ列５には駐車時に変速機４の出力軸を機械的に回転不能にロックするパーキング機構８が設けられている。
【００１１】
車両には、車両制御部としての、エンジン１を制御するエンジンコントローラ１ａと、エンジン１の動力の一部を利用して駆動されるオイルポンプ１０と、オイルポンプ１０からの油圧を調圧して変速機４の各部位に供給する油圧制御回路１１を制御する制御装置としての変速機コントローラ１２と、ホイールシリンダへ供給されるブレーキ圧をブレーキペダル踏力に応じて制御する制御装置としてブレーキコントローラ１００とが設けられている。
また、アクセル開度（スロットル開度）センサ４１、プライマリ入力回転速度センサ４２、車速センサ４３、無段変速機４の油圧センサ４４、運転者が操作するセレクトレバー位置センサ４５等が設けられている。
【００１２】
また、路面判別判定部（ＡＤＡＳ）５０は、エンジンコントローラ１ａ、変速機コントローラ１２、ブレーキコントローラ１００へ路面種別の情報を出力する。
各コントローラ１ａ、１２、１００は、路面種別に適合した特性を有している。詳細は、後述する。
路面判別判定部（ＡＤＡＳ）５０は、車両前方約３０ｍ先の路面にレーザー光を照射して、路面種別により反射率が異なるため、その反射率データを読み取る路面種別センサ（Ｌａｓｅｒ  ＬＩＤＡＲ）６０から、路面検出データを取得している。
さらに、路面判別判定部（ＡＤＡＳ）５０は、ワイパー７１、フロントガラスに設置された振動センサ７２、あるいはインターネット経由での走行中の場所の天気等の情報７３に基づき、路面が濡れているか否かを判定する路面状況判定部７０から判定結果データを取得している。詳細は、後述する。
【００１３】
無段変速機４の各構成について説明すると、バリエータ２０と、バリエータ２０に対して直列に設けられる副変速３０とを備える。
【００１４】
バリエータ２０は、プライマリプーリ２１と、セカンダリプーリ２２と、プーリ２１、２２の間に掛け回されるＶベルト２３とを備えるベルト式無段変速機である。プーリ２１、２２は、それぞれ固定円錐板と、この固定円錐板に対してシーブ面を対向させた状態で配置され固定円錐板との間にＶ溝を形成する可動円錐板と、この可動円錐板の背面に設けられて可動円錐板を軸方向に変位させる油圧シリンダ２３ａ、２３ｂとを備える。油圧シリンダ２３ａ、２３ｂに供給される油圧を調整すると、Ｖ溝の幅が変化してＶベルト２ ３と各プーリ２１、２２との接触半径が変化し、バリエータ２０の変速比ｖＲａｔｉｏが無段階に変化する。
【００１５】
副変速機３０は前進２段・後進１段の変速機構である。副変速機３０は、２つの遊星歯車のキャリアを連結したラビニョウ型遊星歯車機構３１と、ラビニョウ型遊星歯車機構３１を構成する複数の回転要素に接続され、それらの連係状態を変更する複数の摩擦締結要素（Ｌｏｗブレーキ３２、Ｈｉｇｈクラッチ３３、Ｒｅｖブレーキ３４）とを備える。各摩擦締結要素３２〜３４への供給油圧を調整し、各摩擦締結要素３２〜３４の締結・解放状態を変更すると、副変速機３０の変速段が変更される。例えば、Ｌｏｗブレーキ３２を締結し、Ｈｉｇｈクラッチ３３とＲｅｖブレーキ３４を解放すれば副変速機３０ の変速段は１速となる。Ｈｉｇｈクラッチ３３を締結し、Ｌｏｗブレーキ３２とＲｅｖブレーキ３４を解放すれば副変速機３０の変速段は１速よりも変速比が小さな２速となる。また、Ｒｅｖブレーキ３４を締結し、Ｌｏｗブレーキ３２とＨｉｇｈクラッチ３３を解放すれば副変速機３０の変速段は後進となる。
【００１６】
図２は、実施例１および２に係る路面種別判定部の処理の内容を示したフローチャートである。
【００１７】
ステップＳ１では、路面種別判定部５０は、ワイパー作動中、振動センサが雨滴を検知、あるいはインターネット経由で走行中の場所が雨の情報に基づき、路面が濡れていると判定する路面状況判定部７０の判定結果データを読み込み、処理をステップ２へと移行する。
【００１８】
ステップＳ２では、路面種別判定部５０は、路面状況判定部７０の判定結果データから、路面が濡れていると判定すると、処理をステップＳ９へ移行する。また、路面は濡れていないと判定すると、処理をステップＳ３へ移行する。
【００１９】
ステップＳ３では、路面種別判定部５０は、路面種別センサ（Ｌａｓｅｒ  ＬＩＤＡＲ）６０から路面検出データを読み込み、処理をステップＳ４へと移行する。
【００２０】
ステップＳ４では、路面種別判定部５０は、読み込んだ路面検出データを記憶している路面学習データと比較可能な形式に変換を行い、処理をステップＳ５へ移行する。
【００２１】
ステップＳ５では、路面種別判定部５０は、路面学習データを読み込み、処理をステップＳ６へ移行する。
なお、ここで、路面学習データは、４種類（アスファルト路面、コンクリート路面、ブロック路面、砂利路面）の乾いた路面の学習データを有している。
【００２２】
ステップＳ６では、路面種別判定部５０は、読み込んだ路面検出データと４種類の路面学習データを比較し一致するか否かを判定する。
一致しない場合には、路面種別に応じた制御を禁止し、ステップ９へ移行する。
あるいは、一番安全率が大きい砂利路面に応じた制御を行っても良い。
４種類の路面種別のいずれかと一致した場合には、処理をステップＳ７へ移行する。
なお、具体的な一致する判断は、路面検出データと路面学習データが８０％以上の確率で類似であるとの判断で行っている。
【００２３】
ステップＳ７では、路面種別判定部５０は、判定した路面種別を変速機コントローラ１２へ出力し、処理をステップＳ８へ移行する。ここで、路面種別判定部５０の処理は、終了する。
【００２４】
ステップＳ８では、変速機コントローラ１２が路面種別に応じた油圧特性あるいは変速比特性に変更して、処理を終了する。
【００２５】
ステップＳ９では、濡れた路面情報を変速機コントローラ１２へ出力し、処理をステップＳ１０へ移行する。ここで、路面種別判定部５０の処理は、終了する。
【００２６】
ステップＳ１０では、変速機コントローラ１２が、濡れた路面に応じた油圧特性あるいは変速比特性に変更して、処理を終了する。
なお、本実施例の場合、一番安全率が大きい砂利路面に応じた特性としている。
【００２７】
図３は、実施例１に係る路面種別による概略の無段変速機の油圧特性図である。
【００２８】
横軸は、アクセル開度、縦軸は、無段変速機油圧、例えばライン圧を示している。
車輪のグリップ力が一番高いアスファルト路面が一番油圧が低く、次にコンクリート路面、ブロック路面、最もグリップ力が低い砂利路面を一番油圧を高く設定してある。
変速機コントローラ１２は、路面種別判定部５０よりの路面種別に応じて、油圧特性を切り替えている。
【００２９】
図４は、実施例１に係る車両制御装置の車両制御時の無段変速機の油圧の変化を示すタイムチャートである。
【００３０】
図４にて、実施例１の作動を説明する。
横軸は、時間であり、縦軸は、上が路面種別、下が無段変速機の油圧を示している。
前述したが、路面判別判定部（ＡＤＡＳ）５０は、車両前方約３０ｍ先の路面にレーザー光を照射して、その反射率データを読み取る路面種別センサ（Ｌａｓｅｒ  ＬＩＤＡＲ）６０から、路面検出データを取得している。
そこで、時間ｔ１で、路面判別判定部（ＡＤＡＳ）５０が、現在走行中のコンクリート路面から車両前方約３０ｍ先はアスファルト路面と判定し、時間ｔ２でアスファルト路面の走行を開始する。そして、時間ｔ２で、予め備えたアスファルト路面の油圧特性に基づき、徐々に目標油圧に向けて、油圧の低下を開始する。
時間ｔ３で、目標油圧に達し、この目標油圧を維持する。時間Ｔは、判定してからアスファルト路面に達する時間である。これは、車速に応じて変化するため、算定した時間Ｔが経過したときに、上記の油圧制御を開始している。
【００３１】
次に作用効果を説明する。
実施例１の車両制御装置および車両制御方法にあっては、以下に列挙する作用効果を奏する。
【００３２】
（１）路面種別判定部５０は、予め備えた乾いた路面の反射率に基づいて路面種別を判定するようにした。
よって、確実に路面種別を判断でき、適切な無段変速機４の油圧にすることができ、安全性を確保しながら、省燃費を実現することができる。
（２）また、無段変速機４の油圧を下げるときには、検出距離と車速を考慮して行うため、走行中の路面に対し無段変速機４の油圧が低すぎることによって発生する無段変速機４のベルトのスリップを防止することができる。
【００３３】
図５は、実施例２に係る路面種別による所定スロットル開度における概略の無段変速機の変速比特性図である。
「変速比」は、無段変速機４のプライマリ回転速度Ｎｐｒｉを無段変速機４の出力回転速度（車速相当）で割って得られる値である。
【００３４】
横軸は、車速、縦軸は、プライマリ回転速度Ｎｐｒｉで、所定アクセル開度ＡＰＯ時の概略の変速比特性を示している。
同一車速、同一アクセル開度ＡＰＯで比較したとき、車輪のグリップ力が一番高いアスファルト路面が一番変速比が大きく、次にコンクリート路面、ブロック路面、最もグリップ力が低い砂利路面を一番変速比を小さく設定してある。
変速機コントローラ１２は、路面種別判定部５０よりの路面種別に応じて、変速比特性を切り替えている。
なお、濡れた路面の場合には、砂利路面の特性を使用している。
【００３５】
図６は、実施例２に係る車両制御装置の車両制御時の無段変速機の変速比の変化を示すタイムチャートである。
【００３６】
図６にて、実施例２の作動を説明する。
横軸は、時間であり、縦軸は、上が路面種別、下が無段変速機の変速比を示している。
前述したが、路面判別判定部（ＡＤＡＳ）５０は、車両前方約３０ｍ先の路面にレーザー光を照射して、その反射率データを読み取る路面種別センサ（Ｌａｓｅｒ  ＬＩＤＡＲ）６０から、路面検出データを取得している。
そこで、時間ｔ１で、路面判別判定部（ＡＤＡＳ）５０が、車両前方約３０ｍ先は砂利路面と判定し、時間ｔ２で事前に砂利路面の特性により、徐々に目標変速比に向けて、変速を開始する。
時間ｔ３で、目標変速比に達すると、目標変速比を維持し、時間ｔ４で砂利路面の走行を開始する。時間Ｔは、判定してから砂利路面に到達する時間である。これは、車速に応じて変化するため、算定した時間Ｔ内で、制御が終了するようにしている。
【００３７】
次に作用効果を説明する。
実施例２の車両制御装置および車両制御方法にあっては、以下に列挙する作用効果を奏する。
【００３８】
（１）路面種別判定部５０は、予め備えた乾いた路面の反射率に基づいて路面種別を判定するようにした。
よって、確実に路面種別を判断でき、適切な無段変速機４の変速比にすることができ、安全性を確保しながら、省燃費を実現することができる。
（２）また、変速比をアップシフト（大きい側から小さい側へ変速）するときには、検出距離と車速を考慮して、無段変速機４の変速比を事前に目標変速比にして、確実に、検出路面走行時には、目標変速比としている。
よって、砂利路面等の低μ路面での、無駄な駆動輪のスリップを防止することができる。
【００３９】
第７図は、実施例３に係る路面種別判定部の処理の内容を示したフローチャートである。
ステップＳ６までは、図２に示した実施例１および２のフローチャートと同じため、同一の符号を付しているので、説明は省略し、ステップＳ１７より説明する。
【００４０】
ステップＳ１７では、路面種別判定部５０は、判定した路面種別をエンジンコントローラ１ａへ出力し、処理をステップＳ１８へ移行する。ここで、路面種別判定部５０の処理は、終了する。
【００４１】
ステップＳ１８では、エンジンコントローラ１ａが、路面種別に応じたエンジン出力特性に変更して、処理を終了する。
【００４２】
ステップＳ１９では、路面種別判定部５０は、濡れた路面情報をエンジンコントローラ１ａへ出力し、処理をステップＳ２０へ移行する。ここで、路面種別判定部５０の処理は、終了する。
【００４３】
ステップＳ２０では、エンジンコントローラ１ａが、濡れた路面に応じたエンジン出力特性に変更して、処理を終了する。
なお、本実施例の場合、一番安全率が大きい砂利路面に応じた特性としている。
【００４４】
図８は、実施例３に係る路面種別による概略のエンジンの出力特性図である。
【００４５】
横軸は、スロットル開度、縦軸は、エンジン出力を示している。
車輪のグリップ力が一番高いアスファルト路面がアクセル開度ＡＰＯに対するエンジン出力が一番高く、次にコンクリート路面、ブロック路面、最もグリップ力が低い砂利路面をアクセル開度ＡＰＯに対するエンジン出力を一番低く設定してある。
エンジンコントローラ１ａは、路面種別判定部５０よりの路面種別に応じて、エンジン出力特性を切り替えている。
なお、濡れた路面の場合には、砂利路面の特性を使用している。
【００４６】
図９は、実施例３に係る車両制御装置の車両制御時のエンジンの出力の変化を示すタイムチャートである。
【００４７】
図９にて、実施例３の作動を説明する。
横軸は、時間であり、縦軸は、上が路面種別、下がエンジン出力を示している。
前述したが、路面判別判定部（ＡＤＡＳ）５０は、車両前方約３０ｍ先の路面にレーザー光を照射して、その反射率データを読み取る路面種別センサ（Ｌａｓｅｒ  ＬＩＤＡＲ）６０から、路面検出データを取得している。
そこで、時間ｔ１で、路面判別判定部（ＡＤＡＳ）５０が、車両前方約３０ｍ先は砂利路面と判定し、時間ｔ２で事前に砂利路面の特性により、徐々に目標エンジン出力に向けて、エンジン出力の低下を開始する。
時間ｔ３で、目標エンジン出力に達すると、目標エンジン出力を維持し、時間ｔ４で砂利路面の走行を開始する。時間Ｔは、判定してから砂利路面に到達する時間である。これは、車速に応じて変化するため、算定した時間Ｔ内で、制御が終了するようにしている。
【００４８】
次に作用効果を説明する。
実施例３の車両制御装置および車両制御方法にあっては、以下に列挙する作用効果を奏する。
【００４９】
（１）路面種別判定部５０は、予め備えた乾いた路面の反射率に基づいて路面種別を判定するようにした。
よって、確実に路面種別を判断でき、適切なエンジン１の出力にすることができ、安全性を確保しながら、省燃費を実現することができる。
（２）また、エンジン出力を低下するときには、検出距離と車速を考慮して、エンジン１の出力を事前に目標エンジン出力にして、確実に、検出路面走行時には、目標エンジン出力としている。
よって、砂利路面等の低μ路面での、無駄な駆動輪のスリップを防止することができる。
【００５０】
第１０図は、実施例４に係る路面種別判定部の処理の内容を示したフローチャートである。
ステップＳ６までは、図２に示した実施例１および２のフローチャートと同じため、同一の符号を付しているので、説明は省略し、ステップＳ２７より説明する。
【００５１】
ステップＳ２７では、路面種別判定部５０は、判定した路面種別をブレーキコントローラ１００へ出力し、処理をステップＳ２８へ移行する。ここで、路面種別判定部５０の処理は、終了する。
【００５２】
ステップＳ２８では、ブレーキコントローラ１００が、路面種別に応じたブレーキ圧特性に変更して、処理を終了する。
【００５３】
ステップＳ２９では、路面種別判定部５０は、濡れた路面情報をブレーキコントローラ１００へ出力し、処理をステップＳ３０へ移行する。ここで、路面種別判定部５０の処理は、終了する。
【００５４】
ステップＳ３０では、ブレーキコントローラ１００が、濡れた路面に応じたブレーキ圧特性に変更して、処理を終了する。
本実施例の場合、一番安全率が大きい砂利路面に応じた特性としている。
【００５５】
図１１は、実施例４に係る路面種別による概略のブレーキ圧特性図である。
【００５６】
横軸は、ブレーキ踏力、縦軸は、ブレーキ圧を示している。
車輪のグリップ力が一番高いアスファルト路面がブレーキ踏力に対するブレーキ圧が一番高く、次にコンクリート路面、ブロック路面、最もグリップ力が低い砂利路面をブレーキ踏力に対するブレーキ圧を一番低く設定してある。
ブレーキコントローラ１００は、路面種別判定部５０よりの路面種別に応じて、ブレーキ圧特性を切り替えている。
なお、濡れた路面の場合には、砂利路面の特性を使用している。
【００５７】
図１２は、実施例４に係る車両制御装置の車両制御時のブレーキ圧の変化を示すタイムチャートである。
【００５８】
図１２にて、実施例４の作動を説明する。
横軸は、時間であり、縦軸は、上が路面種別、下がブレーキ圧を示している。
前述したが、路面判別判定部（ＡＤＡＳ）５０は、車両前方約３０ｍ先の路面にレーザー光を照射して、その反射率データを読み取る路面種別センサ（Ｌａｓｅｒ  ＬＩＤＡＲ）６０から、路面検出データを取得している。
そこで、時間ｔ１で、路面判別判定部（ＡＤＡＳ）５０が、車両前方約３０ｍ先は砂利路面と判定し、時間ｔ２で事前に砂利路面の特性により、徐々に目標ブレーキ圧に向けて、ブレーキ圧の低下を開始する。
時間ｔ３で、目標ブレーキ圧に達すると、目標ブレーキ圧を維持し、時間ｔ４で砂利路面の走行を開始する。時間Ｔは、判定してから砂利路面に到達する時間である。これは、車速に応じて変化するため、算定した時間Ｔ内で、制御が終了するようにしている。
【００５９】
次に作用効果を説明する。
実施例４の車両制御装置および車両制御方法にあっては、以下に列挙する作用効果を奏する。
【００６０】
（１）路面種別判定部５０は、予め備えた乾いた路面の反射率に基づいて路面種別を判定するようにした。
よって、確実に路面種別を判断でき、適切にブレーキ踏力に対するブレーキ圧にすることができ、安全性を確保しながら、省燃費を実現することができる。
（２）また、検出距離と車速を考慮して、ブレーキ踏力に対するブレーキ圧を事前に目標ブレーキ圧とし、確実に、検出路面走行時には、目標ブレーキ圧としている。
よって、砂利路面等の低μ路面での、無駄な駆動輪のスリップを防止することができる。
【００６１】
以上、本発明を実施するための形態を実施例に基づいて説明したが、本発明の具体的な構成は、実施例に示した構成に限定されるものではなく、発明の要旨を逸脱しない範囲の設計変更等があっても本発明に含まれる。
【００６２】
上記実施例では、４種類の路面状況の学習データを有しているが、これだけに限るモノではなく、砂混じり路面等を追加してもよい。また、上記実施例では、路面が濡れているのかの判定として、ステップ２の判定、及びステップ６の２回行っているが、これに限るものではなく、例えば、ステップ６だけでもよい。すなわち、検出された路面の反射率データと予め備える路面学習データとを比較し、一致しない場合に路面が濡れていると判定してもよい。
【符号の説明】
【００６３】
１ａ  エンジンコントローラ（車両制御部）
１２  変速機コントローラ（車両制御部）
５０  路面種別判定部（ＡＤＡＳ）
６０  路面種別センサ（Ｌａｓｅｒ  ＬＩＤＡＲ）
７０  路面状況判定部
【図１】
2018162816.tif 000003
【図２】
2018162816.tif 000004
【図３】
2018162816.tif 000005
【図４】
2018162816.tif 000006
【図５】
2018162816.tif 000007
【図６】
2018162816.tif 000008
【図７】
2018162816.tif 000009
【図８】
2018162816.tif 000010
【図９】
2018162816.tif 000011
【図１０】
2018162816.tif 000012
【図１１】
2018162816.tif 000013
【図１２】
2018162816.tif 000014